(57)【要約】      （修正有）【課題】製造工程でイヤーピースを音筒部に装着する際にフィルタ部材が脱落する虞がなく組み立て作業性が良好なイヤーピースを提供する。【解決手段】貫通孔6aは、音筒部3への装着状態でハウジング1側から順に内方に突出し先端面と基部の軸線との最小距離が第１の距離とされた第１の係合部6bと、軸線との最小距離が第１の距離より大なる第２の距離の周面を有する第２の係合部と第２の係合部と連続形成され軸線との最小距離が第２の距離より大なる周面の第３の係合部6dとを有する。フィルタ部10は、周壁部11aが第３の係合部6dに係合し底部が第２の係合部とは反対側に位置する姿勢で保持される。【選択図】図２
2011151793.tif 000002
【特許請求の範囲】
【請求項１】
イヤホンのハウジングから突出した音筒部に装着されるイヤーピースであって、
貫通孔を有して環状に形成された基部と、
開口部が設けられた底部及び前記底部の周縁から立ち上がるように形成された周壁部を有するフィルタホルダと前記フィルタホルダに対し前記開口部を覆うように取り付けられたフィルタとを有するフィルタ部と、を備え、
前記貫通孔は、前記音筒部に装着した状態において前記ハウジング側から順に、
内方に突出する周リブであってその先端面と前記基部の軸線との最小距離が第１の距離とされた第１の係合部と、
前記軸線との最小距離が前記第１の距離より大なる第２の距離とされた周面を有する第２の係合部と、
前記第２の係合部と連続して形成され前記軸線との最小距離が前記第２の距離より大なる周面を有する第３の係合部と、を有し、
前記フィルタ部は、前記周壁部が前記第３の係合部に係合すると共に前記底部が前記第２の係合部とは反対側に位置する姿勢で前記基部に保持されていることを特徴とするイヤーピース。
【請求項２】
イヤーピースが取り付けられたイヤホンであって、
ハウジングと、
前記ハウジングから突出して形成され周溝を有する筒状の音筒部と、
前記音筒部の先端面に当接して配設されたスピーカユニットと、
放音孔が設けられた底部及び前記底部の周縁から立ち上がるように形成された第１の周壁部を有し、前記第１の周壁部の内側に前記スピーカユニット及び前記音筒部の先端側を嵌め込むようにして前記音筒部に取り付けられたユニットホルダと、
開口部が設けられた底部及び前記底部の周縁から立ち上がるように形成された第２の周壁部を有するフィルタホルダと、前記フィルタホルダに対し前記開口部を覆うように取り付けられたフィルタと、を有して、前記ユニットホルダの先端側に嵌着されたフィルタ部と、を備え、
前記イヤーピースは、
貫通孔を有して環状に形成された基部と、前記基部の一端側から順に形成された、内方に突出する周リブであってその先端面と前記基部の軸線との最小距離が第１の距離とされた第１の係合部と、前記軸線との最小距離が前記第１の距離より大なる第２の距離とされた周面を有する第２の係合部と、前記第２の係合部と連続して形成され前記軸線との最小距離が前記第２の距離より大なる周面を有する第３の係合部と、を有して前記音筒部に装着されており、
前記第１の係合部が前記周溝に係合し、前記第２の係合部と前記ユニットホルダの前記第１の周壁部とが当接し、前記第３の係合部に前記フィルタホルダの前記第２の周壁部が嵌合していることを特徴とするイヤホン。
【請求項３】
イヤーピースが取り付けられたイヤホンであって、
ハウジングと、
前記ハウジングから突出して形成され周溝を有する筒状の音筒部と、
前記ハウジングの内部に収納されたスピーカユニットと、
開口部が設けられた底部及び前記底部の周縁から立ち上がるように形成された第２の周壁部を有するフィルタホルダと、前記フィルタホルダに対し前記開口部を覆うように取り付けられたフィルタと、を有して、前記音筒部の先端側に嵌着されたフィルタ部と、を備え、
前記イヤーピースは、
貫通孔を有して環状に形成された基部と、前記基部の一端側から順に形成された、内方に突出する周リブであってその先端面と前記基部の軸線との最小距離が第１の距離とされた第１の係合部と、前記軸線との最小距離が前記第１の距離より大なる第２の距離とされた周面を有する第２の係合部と、前記第２の係合部と連続して形成され前記軸線との最小距離が前記第２の距離より大なる周面を有する第３の係合部と、を有して前記音筒部に装着されており、
前記第１の係合部が前記周溝に係合し、前記第２の係合部と前記音筒部の外周面とが当接し、前記第３の係合部に前記フィルタホルダの前記第２の周壁部が嵌合していることを特徴とするイヤホン。
【発明の詳細な説明】
【技術分野】
【０００１】
本発明は、イヤーピース及びイヤホンに係り、特に、イヤホン本体から突出して設けられた音筒部に装着されて音筒部と共に外耳道内に挿入されるイヤーピース及びそれが取り付けられたイヤホンに関する。
【背景技術】
【０００２】
イヤホンの本体から突出して設けられた音筒部にイヤーピースを着脱可能に装着し、音筒部と共にイヤーピースを外耳道内に挿入して使用する、いわゆるカナル型と称されるイヤホンが普及している。
カナル型イヤホンでは、スピーカユニットが本体内部に収められたタイプ（以下、ユニット収納タイプと称する）と、音筒部の先端に取り付けられたタイプ（以下、トップマウントタイプと称する）との双方が知られている。
【０００３】
ユニット収納タイプに関し、音筒部に着脱可能に装着されるイヤーピースに音響特性調整用のフィルタ部材を固定して所望の音響特性を得る構成のイヤホンが特許文献１に記載されている。
特許文献１では、フィルタ部材の目が耳垢等により詰まってしまった場合には、イヤーピースを取り替えることで初期の音響特性に回復できる点についても記載されている。
【先行技術文献】
【特許文献】
【０００４】
【特許文献１】特開２００８−２７７９０９号公報
【発明の概要】
【発明が解決しようとする課題】
【０００５】
特許文献１には、実施例において、フィルタ部材が両面テープを介してイヤーピースに貼着される点について（特許文献１の段落番号００３７参照）、また、変形例において、環状のフィルタ部材がイヤーピースの貫通孔の大径空間部に嵌め込まれる構成について（特許文献１の段落番号００４９，００５０などを参照）記載されている。
【０００６】
ところで、イヤーピースは通常シリコンゴムなどのゴム材で形成されているので、特許文献１に記載されたイヤホンは、低温環境下において、また、貼着作業における貼着面への埃の付着等により、両面テープの貼着力が充分に発揮されにくい場合があり、フィルタ部材が脱落する可能性を排除できない。
また、イヤホンの製造工程では、環状のフィルタ部材を大径空間部に嵌め込んだイヤーピースを音筒部に装着する作業においてイヤーピースを大きく変形させるので、その変形によってフィルタ部材が所定の位置からずれたり外れる可能性があり、組み立て作業性の点で改善の余地がある。
【０００７】
そこで、本発明が解決しようとする課題は、音響特性を調整すると共に、音筒部内または音筒部の先端に配設されたスピーカユニット内への耳垢等の侵入を防止するフィルタ部材を備えつつ、製造工程においてイヤーピースを音筒部に装着する際にフィルタ部材が脱落する虞がなく、組み立て作業性が良好なイヤーピース及びそれが取り付けられたイヤホンを提供することにある。
【課題を解決するための手段】
【０００８】
上記の課題を解決するために、本願発明は手段として次の１）〜３）の構成を有する。
１）  イヤホン(50)のハウジング(1)から突出した音筒部(3)に装着されるイヤーピース(6)であって、
貫通孔(6a)を有して環状に形成された基部(6k)と、
開口部(11c)が設けられた底部(11b)及び前記底部(11b)の周縁から立ち上がるように形成された周壁部(11a)を有するフィルタホルダ(11)と前記フィルタホルダ(11)に対し前記開口部(11c)を覆うように取り付けられたフィルタ(12)とを有するフィルタ部(10)と、を備え、
前記貫通孔(6a)は、前記音筒部(3)に装着した状態において前記ハウジング(1)側から順に、
内方に突出する周リブであってその先端面と前記基部(6k)の軸線(CL6)との最小距離が第１の距離とされた第１の係合部(6b)と、
前記軸線(CL6)との最小距離が前記第１の距離より大なる第２の距離とされた周面を有する第２の係合部(6c)と、
前記第２の係合部(6c)と連続して形成され前記軸線(CL6)との最小距離が前記第２の距離より大なる周面を有する第３の係合部(6d)と、を有し、
前記フィルタ部(10)は、前記周壁部(11a)が前記第３の係合部(6d)に係合すると共に前記底部(11b)が前記第２の係合部(6c)とは反対側に位置する姿勢で前記基部(6k)に保持されていることを特徴とするイヤーピース(6)である。
２）  イヤーピース(6)が取り付けられたイヤホン(50)であって、
ハウジング(1)と、
前記ハウジング(1)から突出して形成され周溝(3b)を有する筒状の音筒部(3)と、
前記音筒部(3)の先端面に当接して配設されたスピーカユニット(7)と、
放音孔(8c)が設けられた底部(8b)及び前記底部(8b)の周縁から立ち上がるように形成された第１の周壁部(8d)を有し、前記第１の周壁部(8d)の内側に前記スピーカユニット(7)及び前記音筒部(3)の先端側を嵌め込むようにして前記音筒部(3)に取り付けられたユニットホルダ(8)と、
開口部(11c)が設けられた底部(11b)及び前記底部(11b)の周縁から立ち上がるように形成された第２の周壁部(11a)を有するフィルタホルダ(11)と、前記フィルタホルダ(11)に対し前記開口部(11c)を覆うように取り付けられたフィルタ(12)と、を有して、前記ユニットホルダ(8)の先端側にが嵌着されたフィルタ部(10)と、を備え、
前記イヤーピース(6)は、
貫通孔(6a)を有して環状に形成された基部(6K)と、前記基部(6k)の一端(6k2)側から順に形成された、内方に突出する周リブであってその先端面と前記基部(6k)の軸線(CL6)との最小距離が第１の距離とされた第１の係合部(6b)と、前記軸線(CL6)との最小距離が前記第１の距離より大なる第２の距離とされた周面を有する第２の係合部(6c)と、前記第２の係合部(6c)と連続して形成され前記軸線(CL6)との最小距離が前記第２の距離より大なる周面を有する第３の係合部(6d)と、を有して前記音筒部(3)に装着されており、
前記第１の係合部(6b)が前記周溝(3b)に係合し、前記第２の係合部(6c)と前記ユニットホルダ(8)の前記第１の周壁部(8d)とが当接し、前記第３の係合部(6d)に前記フィルタホルダ(11)の前記第２の周壁部(11a)が嵌合していることを特徴とするイヤホン(50)である。
３）  イヤーピース(6)が取り付けられたイヤホン(50)であって、
ハウジング(1)と、
前記ハウジング(1)から突出して形成され周溝(3b)を有する筒状の音筒部(3)と、
前記ハウジング(1)の内部に収納されたスピーカユニット(7)と、
開口部(11c)が設けられた底部(11b)及び前記底部(11b)の周縁から立ち上がるように形成された第２の周壁部(11a)を有するフィルタホルダ(11)と、前記フィルタホルダ(11)に対し前記開口部(11c)を覆うように取り付けられたフィルタ(12)と、を有して、前記音筒部(3)の先端側に嵌着されたフィルタ部(10)と、を備え、
前記イヤーピース(6)は、
貫通孔を有して環状に形成された基部(6K)と、前記基部(6K)の一端(6k2)側から順に形成された、内方に突出する周リブであってその先端面と前記基部(6K)の軸線(CL6)との最小距離が第１の距離とされた第１の係合部(6b)と、前記軸線(CL6)との最小距離が前記第１の距離より大なる第２の距離とされた周面を有する第２の係合部(6c)と、前記第２の係合部(6c)と連続して形成され前記軸線(CL6)との最小距離が前記第２の距離より大なる周面を有する第３の係合部(6d)と、を有して前記音筒部(3)に装着されており、
前記第１の係合部(6b)が前記周溝(3b)に係合し、前記第２の係合部(6c)と前記音筒部(3)の外周面とが当接し、前記第３の係合部(6d)に前記フィルタホルダ(11)の前記第２の周壁部(11a)が嵌合していることを特徴とするイヤホン(50)である。
【発明の効果】
【０００９】
本発明によれば、製造工程においてイヤーピースを音筒部に装着する際にフィルタ部材が脱落する虞がなく、組み立て作業性が良好である、という効果が得られる。
【図面の簡単な説明】
【００１０】
【図１】本発明のイヤホンの実施例を示す外観斜視図である。
【図２】本発明のイヤホンの実施例を説明するための部分断面図である。
【図３】本発明のイヤホンの実施例を説明するための部分的な組み立て図である。
【図４】本発明のイヤホンの実施例における組み立て途中の態様を示す外観斜視図である。
【図５】本発明のイヤホンの実施例におけるフィルタホルダを説明するための図である。
【図６】本発明のイヤホンの実施例におけるフィルタを説明するための図である。
【図７】本発明のイヤホンの実施例におけるイヤーピースを説明するための図である。
【図８】本発明のイヤホンの実施例におけるイヤーピースの取り付け状態を説明するための斜視的部分断面図である。
【図９】本発明のイヤホンの実施例における変形例を説明するための断面図である。
【発明を実施するための形態】
【００１１】
本発明の実施の形態を、好ましい実施例により図１〜図９を用いて説明する。
【００１２】
図１は、本発明のイヤホンの実施例を示す外観斜視図である。
【００１３】
図１に示すように、実施例のイヤホン５０はトップマウントタイプであり、箱状のハウジング１を有する本体部２と、ハウジング１から突出する筒状の音筒部３と、ハウジング１から延出したブッシング４と、ブッシング４の先端から引き出されたコード５とを有している。
また、音筒部３の先端側には、シリコンゴムなどの柔軟な材料で形成されたイヤーピース６が着脱自在に取り付けられている。
【００１４】
イヤホン５０は、コード５を介して外部から供給された音声信号を音声に変換するスピーカユニット７を備えている。
スピーカユニット７は、ハウジング１の内部に収納されるか、音筒部３の先端に装着される。
図１に示すように、イヤホン５０は、音筒部３の先端にスピーカユニット７を備えている。
次に、イヤーピース６を装着した音筒部３近傍の詳細について、図２及び図３を用いて詳述する。
【００１５】
図２は、イヤーピース６を装着した音筒部３近傍の断面図である。
図３は、実施例のイヤホン５０におけるイヤーピース６と音筒部３との間の部材を説明するための部分的な分解図である。図３において、ハウジング１は、図１に示したハウジングの形状とは異なるものを示している。実施例においてハウジング１の形状は限定されるものではない。
【００１６】
図２及び図３において、音筒部３は円筒状に形成されており、２つの周溝が設けられている。
２つの周溝は、具体的には、先端側から、ユニットホルダ８（詳細は後述する）における周壁部８ｄの端縁部８ａをカシメるためのカシメ溝３ａと、イヤーピース６を係合させるための係合溝３ｂである。
音筒部３の先端には、スピーカユニット７（図２にのみ表示）が、その底面７ｂが音筒部３の先端面３ｔに当接するように装着されている。
【００１７】
スピーカユニット７は、外観形状が円筒状に形成され、図２における左側端面が、音声を放出する放音面７ａとされている。
図２に示すスピーカユニット７は、放音面７ａ側を底面７ｂ側より小径とする段部７ｄが設けられている。
底面７ｂには一対の端子７ｃが形成され、その一対の端子７ｃにはコード５内に収められる一対のリード線５ａがそれぞれ電気的に接続されている。
【００１８】
ユニットホルダ８は、金属薄板のプレス加工により深鍋状に形成されている。
具体的には、底面部８ｂとその周縁から軸線ＣＬ８に沿う方向に立ち上がるように形成された周壁部８ｄとを有して形成されている。
図３に示すように、ユニットホルダ８の底面部８ｂには、スピーカユニット７から放出された音声を通過させる複数の放音孔８ｃが設けられている。
このユニットホルダ８によりスピーカユニット７が音筒部３の先端に取り付けられる。
具体的には、予めリード線５ａをスピーカユニット７の端子７ｃに接続しておき、リード線５ａを音筒部３内に先端側から挿通すると共にユニットホルダ８の内部にスピーカユニット７をその放音面７ａがユニットホルダ８の底面部８ｂ側となるように収め、その状態でユニットホルダ８を音筒部３の先端に被せ、ユニットホルダ８の周壁部８ｄの端縁８ａを音筒部３のカシメ溝３ａにカシメて、スピーカユニット７を音筒部３の先端面３ｔとの間に挟むようにして固定する。
【００１９】
スピーカユニット７の放音面７ａとユニットホルダ８の底面部８ｂとの間に、スピーカユニット７としての基本的な音質を調整するために調整フィルタ９を挟みこんでもよい。
図２では、調整フィルタ９が挟み込まれた状態を示している。
【００２０】
次に、図２〜図６を用いて、イヤホン５０の音響特性を調整すると共に音筒部３内への耳垢等の侵入を防止するフィルタ部材（以下、フィルタ部１０と称する）について説明する。
【００２１】
図３に示すように、フィルタ部１０は、フィルタホルダ１１とフィルタ１２とフィルタ１２をフィルタホルダ１１に固定する固定材１３とを有して構成されている。
【００２２】
図５は、フィルタホルダ１１を示す正面図及び断面図である。図５では寸法が示されているが、この寸法は一例であり限定されるものではない。
図５において、フィルタホルダ１１は、底部１１ｂとその周縁から立ち上がる周壁部１１ａとを有して形成されている。
底部１１ｂには、スピーカユニット７からの音声を通過させる開口部１１ｃが設けられている。
実施例のフィルタホルダ１１は、底部１１ｂが円形とされ、開口部１１ｃも円形とされている。
【００２３】
図６は、フィルタ１２の平面図と、フィルタ１２の納入形態を示す部分断面図である。図６では寸法が示されているが、この寸法は一例であり限定されるものではない。
【００２４】
フィルタ１２は、ＰＥＴ（ポリエチレンテレフタレート）で形成されたメッシュ部材である。例えば、目開き２３０のＰＥＴ材メッシュを用いることができる。
このフィルタ１２は、図３及び図６に示すように、一面側に固定材としてリング状の両面テープ１３が貼付され、その状態で図６に示すようにセパレータ６１上に整列配設されて納入される。
【００２５】
フィルタ１２を両面テープ１３が付いた状態でセパレータ６１から剥がし、フィルタホルダ１１の底部１１ｂの外表面１１ｂｔに貼付し、フィルタ部１０とされる。
この状態で、フィルタ１２はフィルタホルダ１１の開口部１１ｃを覆うようになっている。
【００２６】
フィルタホルダ１１は、その内径φａ（図５参照）がユニットホルダ８の外径φｈ（図２参照）より僅かに大きく形成されている。
従って、フィルタ部１０は、ユニットホルダ８に対し、フィルタホルダ１１をユニットホルダ８の先端部にほぼガタなく嵌め込むことで装着することができる。
この嵌め込み装着において、フィルタ部１０をユニットホルダ８へ充分に押し込めば、フィルタフィルタホルダ１１の底部１１ｂの内表面１１ｂｕ（図５参照）はユニットホルダ８の底面部８ｂの外表面８ｂｔに当接する。
図４は、フィルタ部１０をユニットホルダ８の先端部に嵌め込んだ状態を示している。
【００２７】
図７は実施例のイヤーピース６の断面図である。図７では寸法が示されているが、この寸法は一例であり限定されるものではない。
イヤーピース６は柔軟な材料で形成することができる。例えばゴム材を用いることができ、特にシリコンゴムが好適である。
【００２８】
イヤーピース６は貫通孔６ａを有する円環状の基部６ｋと、基部６ｋの一端部６ｋ１側で連結し基部６ｋの外側にて他端部６ｋ２側に向け傘状に延在するヒレ部６ｈと、を備えている。
貫通孔６ａは、イヤーピース６が音筒部３に装着された状態で、スピーカユニット７からの音声を一端部６ｋ１側から外部に放出する。
【００２９】
貫通孔６ａは、異なる径を有する複数の部位を有している。
基部６ｋの他端部６ｋ２側から具体的に説明すると、音筒部３の係合溝３ｂに係合するよう内方に突出した周リブである係合凸部６ｂと、係合凸部６ｂの内径φｅよりも大で、かつユニットホルダ８の外径φｈに対して僅かに小さい内径φｆで形成されたＵＨ係合部６ｃと、ＵＨ係合部６ｃの内径φｆよりも大きくフィルタホルダ１１の外径φｃ（図５参照）より小さい内径φｄで形成されたＦＨ係合部６ｄと、一端部６ｋ１で開口しフィルタホルダ１１の開口部１１ｃより僅かに小さい内径φｂ（図２も参照）で形成された開口孔６ｅと、を有している。
また、ＵＨ係合部６ｃとＦＨ係合部６ｄとは段部６ｄ１を介して連続し、その他の部位が間に入らないように形成されている。
【００３０】
次に、イヤホン５０の組み立て工程におけるフィルタ部１０の装着工程について図２などを用いて詳述する。
【００３１】
まず、フィルタ部１０をユニットホルダ８に矢印Ｄ１方向（図４参照）から嵌め込んで装着する。
次に、イヤーピース６を、その他端部６ｋ２側を広げるように変形させながら音筒部３に嵌めこんだフィルタ部１０の上から嵌め込み、押し込む。
イヤーピース６は、音筒部３の所定位置まで押し込まれると、係合凸部６ｂが音筒部３の係合溝３ｂに入りこむように係合し、音筒部３に装着される。
また、ＦＨ係合部６ｄの軸線ＣＬ６（図７参照）方向の長さＬ１は、フィルタホルダ１１の軸線ＣＬ１１方向の長さＬ２よりも長く設定されており、イヤーピース６が音筒部３に所定位置で装着された状態で、フィルタホルダ１１の周壁部１１ａはＦＨ係合部６ｄに嵌り込むようになっている。
すなわち、フィルタ部１０は、ＦＨ係合部６ｄにおける軸線ＣＬ６方向のいずれかの位置で保持されるようになっている。
各部の寸法設定により、この状態でフィルタホルダ１１の底部１１ｂの内表面１１ｂｕ（図５参照）をユニットホルダ８の底面部８ｂの外表面８ｂｔに当接させるようにできる。
また、フィルタ部１０は、イヤーピース６から上述のように径方向内側に向かう圧縮力を受ける。
また、ＵＨ係合部６ｃの内径φｆは、ユニットホルダ８の外径φｈに対して僅かに小さく形成されているので、ＵＨ係合部６ｃは、ユニットホルダ８を径方向内側に押圧する。
イヤーピース６がユニットホルダ８及び音筒部６の先端側に装着された状態で、イヤーピース６の開口部６ｅの内径φｂがフィルタ部１０の外径（φｃに相当）よりも小さくなっており、フィルタ部１０はイヤーピース６から外れることがない。
【００３２】
上述のように装着されたフィルタホルダ１１は、フィルタ１２がユニットホルダ８の底面部８ｂの外表面８ｂｔ（図３参照）とイヤーピース６の一端部６ｋ１との間に位置し、フィルタホルダ１１の底部１１ｂがＵＨ係合部６ｃとは反対側（図７において段部６ｄ１に対するＦＨ係合部６ｄ側）に位置する姿勢で基部６ｋに保持されている。
そして、フィルタ１２が、このイヤホン５０から出力される音声の音響特性を調整する一方、外部からユニットホルダ８側に耳垢などが侵入するのを防止する。
【００３３】
図８は、フィルタホルダ１１をユニットホルダ８の先端に被せイヤーピース６を所定位置に装着した状態を示す部分的な断面図である。
図８では、フィルタホルダ１１の外形線を二点鎖線で示している。図８からわかるように、周壁部１１ａは、イヤーピース６のＦＨ係合部６ｄに係合して嵌り込んでいる。
【００３４】
長時間の使用などにより、フィルタ１２が埃や耳垢などで目詰まりした場合、次に示す方法でフィルタ１２を交換することができる。
【００３５】
一般のイヤーピース６の交換と同様の手順で、イヤーピース６の貫通孔６ａの係合凸部６ｂを広げ、音筒部３から抜き取る。
その際、ＦＨ係合部６ｄの他端部６ｋ２側の段部６ｄ１（図７参照）に、フィルタ部１０のフィルタホルダ１１における周壁部１１ａの端面１１ａ１（図５参照）が当接するので、フィルタ部１０は、ＦＨ係合部６ｄに係合して保持されたままイヤーピース６と共に音筒部３から抜き取られる。
【００３６】
そして、替わりに、目詰まりしていないフィルタ１２を有するフィルタ部１０がＦＨ係合部６ｄに装着された、別のイヤーピース６を、ユニットホルダ８及び音筒部３に装着する。
あるいは、抜き取ったイヤーピース６の開口部６ａを変形させて目詰まりしたフィルタ１２を取り外し、目詰まりしていないフィルタ１２を有するフィルタ部１０をＦＨ係合部６ｄに取り付け、再度ユニットホルダ８及び音筒部３に装着する。
予めＦＨ係合部６ｄにフィルタ部１０が装着されたイヤーピース６をユニットホルダ８及び音筒部３に装着すると、所定の装着位置でユニットホルダ８にフィルタホルダ１１が被さり使用可能状態となる。この状態は、ユニットホルダ８に予めフィルタホルダ１１を被せてから、フィルタ部１０が装着されていないイヤーピース６を音筒部３に装着した状態と同様で何ら変わらない。従って、後者の場合、イヤーピース６自体を再利用することも可能である。
もちろん、フィルタ１２をＰＥＴのメッシュを含め洗浄が可能なものとすれば、フィルタ１２を洗浄して再利用することもできる。
【００３７】
上述した実施例は、音筒部３の先端にスピーカユニット７を備えたトップマウントタイプであるが、ハウジング１の内部にスピーカユニット７を収納したユニット収納タイプであっても、フィルタ部１０を同様に取り付けることができる。
その場合は、ユニットホルダ８が無いので、音筒部３の先端側の外径をフィルタホルダ１１の周壁部１１ａの内径φａに対して僅かに小さく設定し、フィルタ部１０が音筒部３の先端にガタなく嵌め込まれるようにしておくとよい。
【００３８】
実施例のイヤーピース６は、音筒部に装着された状態において、フィルタホルダ１１における周壁部１１ａの外周面がイヤーピース６のＦＨ係合部６ｄの内周面に周面当たりで当接するようになっている。
また、ＦＨ係合部６ｄは、フィルタホルダ１１の周壁部１１ａと強嵌合になっているので周壁部１１ａを径方向に圧縮するように付勢する。
これにより、フィルタホルダ１１とイヤーピース６との間に大きな摩擦力が生じ、イヤーピース６を音筒部３から外すために貫通孔６ａを変形させても、フィルタ部１０がイヤーピース６のＦＨ係合部６ｄからずれたり外れたりすることが極めて起こり難くなっている。
【００３９】
また、実施例のイヤホン５０は、それを組み立てる際に、フィルタ部１０をイヤーピース６の内部に変形させつつ取り付けるのではなく単にハウジング１の音筒部３に被せ、その後、イヤーピース６を従来と同じ要領で音筒部３に装着するだけで、イヤーピース６内の所定の位置に収めることができる。
従って、イヤーピース６の装着工程でフィルタ部１０が脱落してしまうことがなく、組み立て作業性が極めて容易である。
【００４０】
本発明の実施例は、上述した構成及び手順に限定されるものではなく、本発明の要旨を逸脱しない範囲において変形例としてもよいのは言うまでもない。
【００４１】
上述したように、イヤホン５０は、スピーカユニット７がハウジング１の内部に収容されたユニット収容タイプであってもよい。
【００４２】
図９にその一例を示す。変形例のイヤホン６０は、ユニット収容タイプであり、ハウジング６１の内部にスピーカユニット６７が収納されている。
音筒部６３は、ハウジング６１から突出して形成されており、周溝６３ａが形成されている。
イヤーピース６６は、円環状の基部６６ｋと、ヒレ部６６ｈとを有してシリコンゴムで形成されている。
基部６６ｋの貫通孔６６ａを音筒部６３に嵌め込むと共に端部の係合凸部６６ｂを周溝６３ａに係合させてイヤーピース６６を音筒部６３に装着させる。
フィルタ部１０は、フィルタホルダ１１の内周面が音筒部６３の先端側の外周面にほぼガタなく係合し、音筒部６３の先端に装着される。
イヤーピース６６の貫通孔６６ａは、係合凸部６６ｂ側から、音筒部６３の外径と同じか僅かに小さい内径の係合部６６ｃと、係合部６６ｃの内径よりも大きくフィルタホルダ１１の外径より僅かに小さい内径のＦＨ係合部６６ｄを有し、ＦＨ係合部６６ｄにフィルタホルダ１１の周壁部１１ａが嵌り込む。イヤーピース６６の先端側の開口部６６ｅの内径がフィルタ部１０の外径よりも充分小さくなっているので、フィルタ部１０はイヤーピースから外れることがない。
【００４３】
変形例のイヤーピース６６は、使用状態において、フィルタホルダ１１における周壁部１１ａの外周面がイヤーピース６６のＦＨ係合部６６ｄの内周面に周面当たりで当接するようになっている。
また、ＦＨ係合部６６ｄは、フィルタホルダ１１の周壁部１１ａと強嵌合になっているので周壁部１１ａを径方向に圧縮するように付勢する。
これにより、フィルタホルダ１１とイヤーピース６６との間に大きな摩擦力が生じ、イヤーピース６６を音筒部６３から外すために貫通孔６６ａを変形させても、フィルタ部１０がイヤーピース６６のＦＨ係合部６６ｄからずれたり外れたりすることが極めて起こり難くなっている。
【００４４】
また、変形例のイヤホン６０は、イヤーピースを装着する際に、フィルタ部１０をイヤーピース６６の内部に変形させつつ取り付けるのではなく単にハウジング６１の音筒部６３に被せ、その後、イヤーピース６６を従来と同じ要領で音筒部６３に装着するだけで、イヤーピース６６内の所定の位置に収めることができる。
従って、イヤーピース６６の装着工程でフィルタ部１０が脱落してしまうことがなく、組み立て作業性が極めて容易である。
【００４５】
フィルタ１２は、ＰＥＴのメッシュに限定されるものではない。所定の大きさ以上の物体の通過を規制するフィルタであれば、金属のメッシュであってもよく、パンチングメタルを用いたものでもよく、不織布であってもよく、スポンジ状のものであってもよい。所定の大きさは、例えば０．２ｍｍである。
イヤーピース６は、基部６ｋとヒレ部６ｈとを有するものに限定されない。
低発泡性のウレタン材などで外形が略円錐台状に形成されたものでもよい。
フィルタ１２をフィルタホルダ１１に固定する固定材１３は両面テープに限定されない。例えば、接着剤であってもよい。
【００４６】
音筒部３は断面形状が円の筒状でなくてもよい。例えば、断面が楕円状、多角形状、であってもよい。
また、音筒部３に装着されるイヤーピース６の基部６ｋは断面形状が円の筒状でなくてもよい。例えば、断面が楕円状、多角形状であってもよい。
また、フィルタホルダ１１は、音筒部３の断面形状に拘わらず、その先端部にガタなく嵌め込めるように形成されていればよい。
また、フィルタホルダ１１とイヤーピース６のＦＨ係合部６ｄとは、互いに嵌合し合う形状であれば、断面形状が円形であるものに限らない。
すなわち、イヤーピース６は、断面形状が円形でない場合の軸線を便宜的に軸線ＣＬ６とすると、内方に突出する周リブであってその先端面と前記基部の軸線との最小距離が第１の距離とされた第１の係合部６ｂと、軸線ＣＬ６との最小距離が第１の距離より大なる第２の距離とされた周面を有する第２の係合部６ｃと、第２の係合部と連続して形成され軸線ＣＬ６との最小距離が前記第２の距離より大なる周面を有する第３の係合部６ｄと、を有するように形成される。
【符号の説明】
【００４７】
１  ハウジング
２  本体部
３  音筒部
３ａ  カシメ溝
３ｂ  係合溝
３ｔ  先端面
４  ブッシング
５  コード
５ａ  リード線
６，６６  イヤーピース
６ａ，６６ａ  貫通孔
６ｋ，６６ｋ  基部
６ｈ，６６ｈ  ヒレ部
６ｂ  係合凸部
６ｃ  ＵＨ係合部
６ｄ  ＦＨ係合部
６ｄ１  段部
６ｅ  開口孔
６ｋ１  一端部
６ｋ２  他端部
７  スピーカユニット
７ａ  放音面
７ｂ  底面
７ｃ  端子
７ｄ  段部
８  ユニットホルダ
８ａ  端縁部
８ｂ  底面部
８ｃ  放音孔
８ｄ  周壁部
９  調整フィルタ
１０  フィルタ部
１１  フィルタホルダ
１１ａ  周壁部
１１ｂ  底部
１１ｂｔ  外表面
１１ｃ  開口部
１２  フィルタ
１３  固定材（両面テープ）
５０，６０  イヤホン
６１  セパレータ
【図１】
2011151793.tif 000003
【図２】
2011151793.tif 000004
【図５】
2011151793.tif 000005
【図６】
2011151793.tif 000006
【図７】
2011151793.tif 000007
【図３】
2011151793.tif 000008
【図４】
2011151793.tif 000009
【図８】
2011151793.tif 000010
【図９】
2011151793.tif 000011